(57)【要約】      （修正有）【課題】衣類の着脱時に化粧が衣類に付着することを防止できるフェースカバーを提供する。【解決手段】このフェースカバー１００は半透明の平織り布であるオーガンジーからなり且つ下方が開口２した袋体１を有し且つ当該開口２周縁は折り返されて縫製され、紐３を通すためのパイプ４が形成されている。紐３は、当該パイプ４内に挿入され当該パイプ４の端部から導出され、紐３には結び目７が設けられる。紐３にはスライドストッパー８が設けられる。化粧したユーザは、フェースカバー１００の前面１２がユーザの顔の前面にくるように前記カバー１の開口２を開いて頭に被せ、スライドストッパー８を当該紐３に沿って移動させる。これにより、ユーザの顎に引っ掛かり抜けないようになり、ユーザは衣類が直接顔に当たることがなくなるので、化粧が当該衣類に付着し難くなる。【選択図】図１
0003157903.tif 000002
【実用新案登録請求の範囲】
【請求項１】
半透明の布からなり且つ下方が開口した袋体であって、当該袋体の周囲にパイプが形成されると共に当該パイプの端部が当該袋体の前面に位置するカバーと、
前記パイプに挿入され当該パイプの端部から導出されている紐と、
前記パイプの端部から導出した紐上に形成した結び目その他の止め部と、
内部に紐を通し当該紐に沿って移動可能で且つ所定位置にて位置を固定できるスライダストッパーと、
を備えたことを特徴とするフェースカバー。
【請求項２】
前記カバーは、裏面の生地の目の粗さが大きく、前面の生地の目の粗さが小さいことを特徴とする請求項１に記載のフェースカバー。
【請求項３】
前記カバーは、前面の布が黒であることを特徴とする請求項１または２に記載のフェースカバー。
【考案の詳細な説明】
【技術分野】
【０００１】
本考案は、衣服の着脱時によく起こる化粧落ちや衣服汚れを防ぎ、髪の乱れを防ぐフェースカバーに関するものである。
【背景技術】
【０００２】
従来から特許文献１に記載されているようなフェースカバーが知られている。このフェースカバーは単に頭から被るだけの使い切りの製品であり、且つ、顔への固定が不十分で丸首部分がタイトな衣服の着脱には適していない。
【先行技術文献】
【特許文献】
【０００３】
【特許文献１】登録実用新案第３０６１７６３号公報
【考案の概要】
【考案が解決しようとする課題】
【０００４】
解決しようとする問題点は、使い切りであるため資源の無駄になるうえ、丸首部分がタイトな衣類の着脱に適していない点である。
【課題を解決するための手段】
【０００５】
本考案のフェースカバーは、メッシュ状の布からなり且つ下方が開口した袋体であって、当該袋体の周囲にパイプが形成されると共に当該パイプの端部が当該袋体の前面に位置するカバーと、前記パイプに挿入され当該パイプの端部から導出されている紐と、前記パイプの端部から導出した紐上に形成した結び目その他の止め部と、内部に紐を通し当該紐に沿って移動可能で且つ所定位置にて位置を固定できるスライダストッパーとを備えたことを特徴とする。
【０００６】
本考案のフェースカバーは、上記考案において、前記カバーは、裏面のメッシュの粗さが大きく、前面のメッシュの粗さが小さいことを特徴とする。
【０００７】
本考案のフェースカバーは、上記考案において、前記カバーは、前面の布が黒であることを特徴とする。
【図面の簡単な説明】
【０００８】
【図１】この考案の実施の形態にかかるフェースカバーを示す正面図である。
【図２】図１に示したフェースカバーのスライドストッパー付近を示す説明図である。
【図３】この考案のフェースカバーの使用方法を示す説明図である。
【図４】この考案のフェースカバーの使用方法を示す説明図である。
【考案を実施するための形態】
【０００９】
図１は、この考案の実施の形態にかかるフェースカバーを示す正面図である。図２は、図１に示したフェースカバーのスライドストッパー付近を示す説明図である。このフェースカバー１００は、下方が開口２した袋体１を有する。袋体１の生地は、前面１２を乳白色で半透明の平織り布であるオーガンジーで構成し、且つ、その裏面１１を通常のポリエステル生地とする。この袋体１の開口２周縁は折り返されて縫製されることで、紐３を通すためのパイプ４が形成されている。フェースカバー１００の前面には、逆Ｕ字形状の切り欠き５が設けられ、当該切り欠き５にて当該パイプ４の端部６が開口している。紐３は、当該パイプ４内に挿入され当該パイプ４の端部から導出される。
【００１０】
この端部６から導出された紐３には結び目７が設けられる。この結び目７は、後述のスライドストッパー８のスライド量を規制する止め部として機能する。紐３のうち、当該結び目７より先端側にスライドストッパー８が設けられる。スライドストッパー８は、紐３に沿って移動可能で且つ所定位置にて位置を固定できる。また、上記のように結び目７を設けることでスライドストッパー８が当該結び目７よりも奥に移動しないため、紐３により首が締め付けられてしまうことがない。  紐３の両端はループエンド９により接続されている。
【００１１】
なお、前記袋体１の生地は、その裏面１１の目の粗さを大きくし、前面１２の目の粗さを小さくするようにしても良い。裏面１１の目の粗さを大きくすることで、装着したときの内部の通気性を高めることができる。一方、前面１２の目の粗さを大きくすると化粧が衣類に付着するおそれがあるので、そのようなことがないように十分に小さい目の粗さの生地を用いるようにする。
【００１２】
更に、フェースカバー１００を装着した際にユーザの視認性を確保するため、前記カバー１の前面１２の布は黒色としても良い。また、カバー１を構成する生地は、汚れた場合に洗濯して繰り返し使用ができるようにポリエステル等の化学繊維により構成するのが好ましい。
【００１３】
次に、この考案のフェースカバー１００の使用方法について説明する。図３及び図４は、この考案のフェースカバーの使用方法を示す説明図である。化粧したユーザＵは、図３に示すように、フェースカバー１００の前面１２がユーザＵの顔の前面にくるように前記カバー１の開口２を開いて頭に被せる。続いて、図４に示すように、スライドストッパー８のボタン１３を押して非拘束状体とし、紐３の端部のループエンド９を持ちつつ当該紐３に沿って移動させる。
【００１４】
これにより、フェースカバー１００の開口２が絞られ、ユーザＵの顎に引っ掛かり抜けないようになる。このため、丸首部分がタイトな衣類であっても着脱時にフェースカバー１００が顔から外れることがない。なお、フェースカバー１００の前面１２を黒色とした場合、使用中でもユーザＵの視認性が著しく低下することはない。フェースカバー１００を装着することでユーザＵは衣類（特にその首部）が直接顔に当たることがなくなるので、化粧が当該衣類に付着し難くなる。衣類を着た後は、スライドストッパー８を紐３の端部に移動させ、フェースカバー１００の開口２を開き、顔から取り外す。
【００１５】
一方、衣類を脱ぐときも上記同様にフェースカバー１００を顔に被せる。その際も、フェースカバー１００の前面１２が顔の前面にくるようにする。続いて、紐３の端部のループエンド９を持ち、スライドストッパー８のボタン１３を押しつつ当該紐３に沿って移動させる。これにより、フェースカバー１００の開口２が絞られ、ユーザＵの顎に引っ掛かり抜けないようになる。フェースカバー１００を装着することでユーザＵは衣類が直接顔に当たることがなくなるので、化粧が当該衣類に付着し難くなる。衣類を脱いだ後は、スライドストッパー８を紐３の端部に移動させ、フェースカバー１００の開口２を開き、顔から取り外す。
【００１６】
以上、この考案のフェースカバー１００によれば、衣類を着脱する際に化粧が当該衣類に付着することがない。また、丸首部分がタイトな衣類であっても着脱時にフェースカバー１００が顔から外れることがない。更に、カバー１は化学繊維からなる布製であるため、洗濯すれば繰り返し使用できる。
【符号の説明】
【００１７】
１００  フェースカバー
１  袋体
２  開口
３  紐
４  パイプ
５  切り欠き
６  端部
７  結び目
８  スライドストッパー
９  ループエンド
【図１】
0003157903.tif 000003
【図２】
0003157903.tif 000004
【図３】
0003157903.tif 000005
【図４】
0003157903.tif 000006